(57)【要約】      （修正有）【課題】携帯情報端末から吊り下げられた装飾部の向きを定めて、装飾部の最も特徴的な部分を一定の方向に向け続けて使用することができる携帯情報端末用装飾具を提供する。【解決手段】特徴的な外観を備えた特徴面５を備える装飾部材２と一対の柔軟な吊下部材３，４とを有し、それぞれの吊下部材３，４の先端の異なる固定端子１２，１３を有してなる。固定端子１２，１３を携帯情報端末Ｐに形成された挿入孔であるイヤホンジャック２１及び充電用端子穴２２に挿入して取り付けることができる。【選択図】図１
0003193566.tif 000002
【実用新案登録請求の範囲】
【請求項１】
開口部の形状が異なる第一の挿入孔及び第二の挿入孔を備える携帯情報端末に取り付けて使用される携帯情報端末用装飾具であって、
特徴的な外観を備えた特徴面、及び前記特徴面よりも装飾効果の低い通常面とを備える装飾部材と、
前記装飾部材の表面であって、前記特徴面と通常面との境界部に基端が固定された一対の柔軟な吊下部材とを有し、
一方の吊下部材の先端には、前記第一の挿入孔と着脱可能に密着して挿入可能な第一の固定端子が設けられ、他方の吊下部材の先端には、前記第二の挿入孔と着脱可能に密着して挿入可能な第二の固定端子が設けられ、
前記第一の固定端子及び第二の固定端子の形状が異なること
を特徴とする携帯情報端末用装飾具。
【考案の詳細な説明】
【技術分野】
【０００１】
本考案は、携帯情報端末に取り付けて使用する携帯情報端末用装飾具に関する。
【背景技術】
【０００２】
従来携帯情報端末を装飾する装飾具としては、特徴的な形状を備えた装飾部、及び当該装飾部に設けられた紐状部材とを有するストラップ型の装飾具がよく用いられている。ストラップ型の装飾具は、前記紐状部材を介して携帯情報端末の外表面と結合されて、携帯情報端末から吊り下げられた状態で使用される。
【先行技術文献】
【特許文献】
【０００３】
【特許文献１】特開２０１２−０００２６８号公報
【考案の概要】
【考案が解決しようとする課題】
【０００４】
しかし、前記従来の装飾具では、携帯情報端末から吊り下げられた装飾部の向きが定まらず、装飾部の最も特徴的な部分を一定の方向に向け続けて使用することは困難であった。
【課題を解決するための手段】
【０００５】
そこで、上記課題を解決するための手段として本考案に係る携帯情報端末用装飾具は、開口部の形状が異なる第一の挿入孔及び第二の挿入孔を備える携帯情報端末に取り付けて使用される携帯情報端末用装飾具であって、特徴的な外観を備えた特徴面、及び前記特徴面よりも装飾効果の低い通常面とを備える装飾部材と、前記装飾部材の表面であって、前記特徴面と通常面との境界部に基端が固定された一対の柔軟な吊下部材とを有し、一方の吊下部材の先端には、前記第一の挿入孔と着脱可能に密着して挿入可能な第一の固定端子が設けられ、他方の吊下部材の先端には、前記第二の挿入孔と着脱可能に密着して挿入可能な第二の固定端子が設けられ、前記第一の固定端子及び第二の固定端子の形状が異なることを特徴とする
【０００６】
携帯情報端末に設けられた第一の挿入孔及び第二の挿入孔は、携帯情報端末の外面であればどこに設けられていてもよいが、互いに近接して設けられていることが好ましい。第一の挿入孔及び第二の挿入孔が近接して設けられていることで、携帯情報端末を手に持つ際にも取り付けられた携帯情報端末用装飾具が邪魔にならないからである。第一の挿入孔及び第二の挿入孔は、それぞれイヤホンジャック及び充電用端子孔のいずれかであることが好ましい。第一の挿入孔及び第二の挿入孔がそれぞれイヤホンジャック及び充電用端子孔のいずれかであれば、携帯情報端末用装飾具の第一の固定端子及び第二の固定端子を挿入することによって、それぞれの挿入孔の内部へ埃や水などの異物が侵入することを防ぐことができるからである。
【０００７】
装飾部材は、金属、樹脂、若しくは木材、またはこれらの材料を組み合わせてなる固形部材であることが好ましい。また、装飾部材の形状は、正面及び背面が区別可能な板状体、若しくは正面及び背面が明瞭でない曲面からなる立体に形成されてもよい。
【０００８】
特徴面及び通常面は、互いに離間して形成されてもよく、また、互いに隣接して形成されてもよい。特徴面及び通常面が離間している場合には、境界部は特徴面と通常面との間に存在する一定の領域である。例えば、装飾部材が板状体に形成され、その正面に特徴面を形成し、背面に通常面を形成した場合、境界部は前記板状体の周側面となる。特徴面及び通常面が連続して隣接している場合には、境界部は特徴面及び通常面の一部を含む境界領域である。
【０００９】
吊下部材は、柔軟に曲げることができる細長の部材であることが好ましく、具体的には、鎖状部材若しくは紐状部材であることが好ましい。
【００１０】
第一の固定端子及び第二の固定端子の形状は異なる形状に形成されており、例えば第一の固定端子は円柱体に形成され、第二の固定端子は板状体に形成されてなることが好ましい。
【考案の効果】
【００１１】
第一の固定端子及び第二の固定端子の形状は異なる形状に形成されることにより、一対の固定端子をそれぞれ常に決まった挿入孔に挿入して固定することができるため、携帯情報端末に取り付けた状態で携帯情報端末を持ち運ぶ際にも常に特徴面を一定の方向に向けた状態とすることができ、特徴面が意図しない方向を向いて装飾効果が低下することを防止することができる。
【００１２】
携帯情報端末との固定に用いられる吊下部材が一対あることで、仮に一方の吊下部材が外れたとしても他方の吊下部材が携帯情報端末と結合されている限り携帯情報端末用装飾具が落下することがなく、携帯情報端末用装飾具の紛失を防止する効果を有する。特に、携帯情報端末用装飾具を携帯情報端末の底面に取り付けた場合には、吊下部材は携帯情報端末に設けられた挿入孔から抜け落ちる恐れが高いため、前記紛失防止効果を顕著に発揮することができる。
【図面の簡単な説明】
【００１３】
【図１】本考案に係る携帯情報端末用装飾具１の全体の概要を示すと共に、携帯情報端末用装飾具１を取り付ける携帯情報端末Ｐとの位置関係を示す図である。
【図２】携帯情報端末用装飾具１を携帯除法端末２に取り付けた状態を示す図である。
【考案を実施するための形態】
【００１４】
以下、本考案に係る実施の形態を、図を参照しながら詳しく説明する。
【００１５】
図１は、本考案に係る携帯情報端末用装飾具１の全体の概要を示すと共に、携帯情報端末用装飾具１を取り付ける携帯情報端末Ｐとの位置関係を示す図である。
【００１６】
携帯情報端末用装飾具１は、装飾部材２、一方の吊下部材３、及び他方の吊下部材４を備えてなる。装飾部材２は、本実施の形態においてイチゴの形状を模した板状体に形成されてなる。装飾部材２は、図１において視認できる幅広な表面が、イチゴの果肉及びへたを模した外形に形成されると共に、当該面内には種が表現されることで特徴面５が形成される。一方、図１において装飾部材２の視認できない裏面は通常面６に形成されてなる。板状体である装飾部材２の側周面は前記特徴面５と通常面６との境界部７を形成してなり、境界部７における当該イチゴの果肉とへたとの境界部分には、特徴面５に対向して見て左右に一つずつ固定環８，９が設けられてなる。
【００１７】
固定環８，９には、それぞれ吊下部材３、４の基端が連結して固定されている。吊下部材３、４は、それぞれ基端側が複数の輪環が互いにずれ動き可能な状態で連結されてなる鎖部材１０，１１に形成されており、鎖部材１０，１１の先端にはそれぞれ第一の固定端子１２、第二の固定端子１３が連結されてなる。固定環８，９には、鎖部材１０，１１を構成してなる基端側の輪環の一つが挿通されることで、吊下部材３、４が固定される。
【００１８】
第一の固定端子１２及び第二の固定端子１３の基端部１４、１５にはそれぞれ連結孔１６，１７が設けられており、当該連結孔１６，１７に先端側の輪環が挿通されることで鎖部材１０，１１が連結される。
【００１９】
第一の固定端子１２の先端部１８は、同心円状に径の異なる円柱体が繰り返し形成された棒体及び円錐状に先鋭化されてなる先端を有するイヤホンプラグを模した形状に形成されてなる。一方、第二の固定端子１３の先端部１９は、幅広の平板形状に形成され、第一の固定端子１２の先端部１８とは形状が異なる。
【００２０】
携帯情報端末Ｐの底面２０には、固定端子の挿入孔として使用することができるイヤホンジャック２１及び充電用端子穴２２が左右に並んで形成されており、イヤホンジャック２１の開口形状は円形に形成され、充電用端子穴２２は長円形状に形成されてなる。イヤホンジャック２１には第一の固定端子１２の先端部１８を挿入することができるが、第二の固定端子１３の先端部１９は挿入することができない。また、充電用端子穴２２には第二の固定端子１３の先端部１９を挿入することができるが、第一の固定端子１２の先端部１８は挿入することができない。
【００２１】
図２は、第一の固定端子１２及び第二の固定端子１３をそれぞれイヤホンジャック２１及び充電用端子穴２２に挿入して固定し、携帯情報端末用装飾具１を携帯除法端末Ｐに取り付けた状態を示す。
【００２２】
第一の固定端子１２及び第二の固定端子１３は、イヤホンジャック２１及び充電用端子穴２２のそれぞれの内面に密着しながら挿入されるため、取り付けられた携帯情報端末用装飾具１は携帯除法端末Ｐの底面２０が下方を向いただけでは抜け落ちることがない。
【００２３】
取り付けられた携帯情報端末用装飾具１は、携帯情報端末Ｐの底面２０に二本の吊下部材３，４で取り付けられているため、携帯情報端末Ｐの使用時若しくは持ち運ぶ際にも常に特徴面５が不意に捻じれることがなく、特徴面５を携帯情報端末Ｐの正面２３と同じ方向に向けた状態とすることができる。これにより、特徴面５が意図しない方向を向いて装飾効果が低下することを防止することができる。
【００２４】
また、第一の固定端子１２及び第二の固定端子１３をそれぞれイヤホンジャック２１及び充電用端子穴２２に挿入することで、イヤホンジャック２１及び充電用端子穴２２の内部へ埃や水などの異物が侵入することを防ぐことができる。
【００２５】
さらに、二本の吊下部材３，４のうち、仮に一方の吊下部材が外れたとしても他方の吊下部材が携帯情報端末Ｐと結合されている限り携帯情報端末用装飾具１が落下して紛失することを防止することができる。
【符号の説明】
【００２６】
１    携帯情報端末用装飾具
２    装飾部材
３    一方の吊下部材
４    他方の吊下げ部材
５    特徴面
６    通常面
７    境界部
１２  第一の固定端子
１３  第二の固定端子
２１  イヤホンジャック
２２  充電用端子穴
Ｐ    携帯情報端末
【図１】
0003193566.tif 000003
【図２】
0003193566.tif 000004